(57)【要約】本発明は二酸化炭素センサを備える空気浄化装置であり、空気浄化装置はファン、静電吸附装置及び二酸化炭素センサを備える。その空気浄化装置は空気中の微塵と黴菌を除去し、空気中の二酸化炭素の含有量を検出する。
2009536087.tif 000002
【特許請求の範囲】
【請求項１】
機体内にファン、静電吸附装置及び二酸化炭素センサを備えることを特徴とする、
二酸化炭素センサを備える空気浄化装置。
【発明の詳細な説明】
【技術分野】
【０００１】
本発明は、空気浄化分野に関し、更に詳しくは、二酸化炭素センサを備える空気浄化装置に関する。
【背景技術】
【０００２】
従来の空気浄化装置は、基本的な空気濾過と殺菌の機能しか有せず、空気中の二酸化炭素含有量を検出することができない。また、空気が混濁しているため、いつのまにか空気中の二酸化炭素の含有量は基準値を超え、人々の身体健康を損なう。
【発明の開示】
【発明が解決しようとする課題】
【０００３】
本発明が解決しようとする技術的課題は、上記の既存技術に存在する課題を解決するものであり、空気中の二酸化炭素含有量を検出して制御し、空気中の二酸化炭素含有量を人々に知らせ、且つ二酸化炭素含有量が基準値を超えることをすばやく提示して警報し、人々の身体健康を保護するための二酸化炭素センサを備える空気浄化装置を提供することである。
【課題を解決するための手段】
【０００４】
本発明に採用されている技術的解決手段は、機体内にファン、静電吸附装置及び二酸化炭素センサを備え、その実装の位置は吸気側であってもよいし、排気側であってもよい。
【０００５】
上記技術的解決手段では、静電吸附装置は複数の高圧電離線と複数の吸塵板とが交互に配列して構成されている。
【０００６】
上記技術的解決手段では、二酸化炭素センサは電気制御ボックスに接続され、検出されたデータを制御システムに伝達する。
【０００７】
本発明は、機体の吸気側に静電吸附装置と二酸化炭素センサが設置されているので、有効的に空気中の微塵を除去し、空気中の黴菌を一掃する同時に、空気中の二酸化炭素の含有量を検出でき、新鮮な空気を補給することを適時に提示し、人々の身体健康を保護するのに有利である。
【発明を実施するための最良の形態】
【０００８】
図１に示すように、本発明は機体１内にファン２、静電吸附装置３、二酸化炭素センサ４及び電気制御ボックス５が設置され、静電吸附装置３と二酸化炭素センサ４は機体内の吸気口６中に設置され、ファン２は機体内の排気口７中に設置されている。二酸化炭素センサ４は検出された空気中の二酸化炭素の含有量のデータを電気制御ボックス５に伝達し、且つ空気中の二酸化炭素の含有量を表示する。空気中の二酸化炭素の含有量が設定値を超えると、システムは二酸化炭素の含有量が基準を超えることを提示して警告し、ユーザーに新鮮な空気を補給することを提示する。
【０００９】
上記は本発明のいくつか実施例の一つであるが、上記実施例の構造の組み合わせ方式に限定されない。
【図面の簡単な説明】
【００１０】
【図１】図1は、本発明の構造の概略を示す概略図である。
【符号の説明】
【００１１】
１  機体、２  ファン、３  静電吸附装置、４  二酸化炭素センサ、５  電気制御ボックス、６  吸気口、７  排気口。
【図１】
2009536087.tif 000003
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
機体内にファン、電気制御ボックス、静電吸附装置及び二酸化炭素センサを備え、
前記二酸化炭素センサの実装の位置は、吸気側であっても良いし、排気側であっても良いことを特徴とする、
二酸化炭素センサを備える空気浄化装置。
【請求項２】
前記二酸化炭素センサは、前記電気制御ボックスに接続されていることを特徴とする、
請求項１に記載の二酸化炭素センサを備える空気清浄化装置。
【請求項３】
前記静電吸附装置は、複数の高圧電離線と複数の吸塵板とを交互に配列して構成されることを特徴とする、
請求項１又は２に記載の二酸化炭素センサを備える空気清浄化装置。
【請求項４】
前記機体は、手持ち構造であり、頂部に手提げを設け、底部に支持脚を設けていることを特徴とする、
請求項１又は２に記載の二酸化炭素センサを備える空気清浄化装置。
【手続補正２】
【補正対象書類名】明細書
【補正対象項目名】全文
【補正方法】変更
【補正の内容】
【発明の詳細な説明】
【技術分野】
【０００１】
本発明は、空気浄化分野に関し、更に詳しくは、二酸化炭素センサを備える空気浄化装置に関する。
【背景技術】
【０００２】
従来の空気浄化装置は、基本的な空気濾過と殺菌の機能しか有せず、空気中の二酸化炭素含有量を検出することができない。また、空気が混濁しているため、いつのまにか空気中の二酸化炭素の含有量は基準値を超え、人々の身体健康を損なう。
【発明の開示】
【発明が解決しようとする課題】
【０００３】
本発明が解決しようとする技術的課題は、上記の既存技術に存在する課題を解決するものであり、空気中の二酸化炭素含有量を検出して制御し、空気中の二酸化炭素含有量を人々に知らせ、且つ二酸化炭素含有量が基準値を超えることをすばやく提示して警報し、人々の身体健康を保護するための二酸化炭素センサを備える空気浄化装置を提供することである。
【課題を解決するための手段】
【０００４】
本発明に採用されている技術的解決手段は、機体内にファン、電気制御ボックス、静電吸附装置及び二酸化炭素センサを備え、二酸化炭素センサの実装の位置は吸気側であってもよいし、排気側であってもよい。
【０００５】
上記技術的解決手段では、静電吸附装置は複数の高圧電離線と複数の吸塵板とが交互に配列して構成されている。
【０００６】
上記技術的解決手段では、二酸化炭素センサは電気制御ボックスに接続され、検出されたデータを制御システムに伝達する。
【０００７】
上記技術的解決手段では、機体は手持ち構造であり、頂部に手提げを設け、底部に支持脚を設けている。
【０００８】
本発明は、機体の吸気側に静電吸附装置と二酸化炭素センサが設置されているので、有効的に空気中の微塵を除去し、空気中の黴菌を一掃する同時に、空気中の二酸化炭素の含有量を検出でき、新鮮な空気を補給することを適時に提示し、人々の身体健康を保護するのに有利である。
【発明を実施するための最良の形態】
【０００９】
図１に示すように、本発明は機体１内にファン２、静電吸附装置３、二酸化炭素センサ４及び電気制御ボックス５が設置され、静電吸附装置３と二酸化炭素センサ４は機体内の吸気口６中に設置され、ファン２は機体内の排気口７中に設置されている。二酸化炭素センサ４は検出された空気中の二酸化炭素の含有量のデータを電気制御ボックス５に伝達し、且つ空気中の二酸化炭素の含有量を表示する。空気中の二酸化炭素の含有量が設定値を超えると、システムは二酸化炭素の含有量が基準を超えることを提示して警告し、ユーザーに新鮮な空気を補給することを提示する。
【００１０】
上記技術的解決手段では、機体は手持ち構造であり、頂部に手提げを設け、底部に支持脚を設けている。
【００１１】
上記は本発明のいくつか実施例の一つであるが、上記実施例の構造の組み合わせ方式に限定されない。
【図面の簡単な説明】
【００１２】
【図１】図1は、本発明の構造の概略を示す概略図である。
【符号の説明】
【００１３】
１  機体、２  ファン、３  静電吸附装置、４  二酸化炭素センサ、５  電気制御ボックス、６  吸気口、７  排気口。
【国際調査報告】
2009536087.tif 000004
2009536087.tif 000005
2009536087.tif 000006
2009536087.tif 000007